(57)【要約】      （修正有）【課題】騒音を低減することができる加湿装置を提供する。【解決手段】吹出口１と吸気口２とを有する本体ケース３と、本体ケース３内に設けた水を飛散させる加湿部４と、本体ケース３外の空気を吸気口、加湿部、吹出口へと送風する送風機５とを備えている。加湿部は、水を貯水する貯水容器９と、貯水容器内の水に下端が浸漬する回転体１１と、回転体を回転させるモータ部１２とを有している。貯水容器には、回転体から飛散する水が貯水容器の壁部に直接当たることを抑制する複数の衝突抑制部材を設け、各々の衝突抑制部材の面積は、貯水容器９の壁部の面積より小さいことを特徴としている。【選択図】図２
2018091569.tif 000002
【特許請求の範囲】
【請求項１】
吹出口と吸気口とを有する本体ケースと、
前記本体ケース内に設けた水を飛散させる加湿部と、
前記本体ケース外の空気を前記吸気口、前記加湿部、前記吹出口へと送風する送風機とを備え、
前記加湿部は、
水を貯水する貯水容器と、
前記貯水容器内の水に下端が浸漬する回転体と、
前記回転体を回転させるモータ部とを有し、
前記貯水容器には、
底面と前記底面から上方へ延びた板形状の壁部と、
前記回転体から飛散する水が前記壁部に直接当たることを抑制する複数の衝突抑制部材とを有し、
各々の前記衝突抑制部材の面積は、前記壁部の面積より小さいことを特徴とする加湿装置。
【請求項２】
前記衝突抑制部材は、
前記壁部における内面から内方へ延びた突起であることを特徴とする請求項１に記載の加湿装置。
【請求項３】
前記衝突抑制部材は、
前記壁部と前記底面とを連結することを特徴とする請求項２に記載の加湿装置。
【発明の詳細な説明】
【技術分野】
【０００１】
本発明は、一般家庭や事務所等で使用される加湿装置に関するものである。
【背景技術】
【０００２】
従来、この種の加湿装置は、吸気口と吹出口を有する本体ケースと、本体ケース内に備えた吸気口と吹出口とを連通する風路と、風路に設けた送風機と、加湿部とを備えている。加湿部は、水を貯水する貯水容器と、モータと、回転板と、回転板に給水する給水部を有したものが知られている。（例えば、特許文献１参照）
【先行技術文献】
【特許文献】
【０００３】
【特許文献１】実開昭５８−１０８３２４号公報
【発明の概要】
【発明が解決しようとする課題】
【０００４】
従来、この種の加湿装置は、モータと、モータから下方に延びた回転軸と、回転軸に固定された円板形状の回転板と、回転板に給水する給水部を備えていた。回転板には、水が給水され、給水された水は回転板によって破砕され本体ケース内に飛散する。この飛散した微細な水が、案内胴体の内面に衝突することで騒音が大きくなる。
【０００５】
そこで、本発明は加湿装置の低騒音化を目的とするものである。
【課題を解決するための手段】
【０００６】
そして、この目的を達成するために、本発明は、吹出口と吸気口とを有する本体ケースと、前記本体ケース内に設けた水を飛散させる加湿部と、前記本体ケース外の空気を前記吸気口、前記加湿部、前記吹出口へと送風する送風機とを備え、前記加湿部は、水を貯水する貯水容器と、前記貯水容器内の水に下端が浸漬する回転体と、前記回転体を回転させるモータ部とを有し、前記貯水容器には、底面と前記底面から上方へ延びた板形状の壁部と、前記回転体から飛散する水が前記壁部に直接当たることを抑制する複数の衝突抑制部材とを有し、各々の前記衝突抑制部材の面積は、前記壁部の面積より小さいことを特徴としたものである。
【０００７】
これにより、所期の目的を達成するものである。
【発明の効果】
【０００８】
以上のように本発明は、吹出口と吸気口とを有する本体ケースと、前記本体ケース内に設けた水を飛散させる加湿部と、前記本体ケース外の空気を前記吸気口、前記加湿部、前記吹出口へと送風する送風機とを備え、前記加湿部は、水を貯水する貯水容器と、前記貯水容器内の水に下端が浸漬する回転体と、前記回転体を回転させるモータ部とを有し、前記貯水容器には、底面と前記底面から上方へ延びた板形状の壁部と、前記回転体から飛散する水が前記壁部に直接当たることを抑制する複数の衝突抑制部材とを有し、各々の前記衝突抑制部材の面積は、前記壁部の面積より小さい。
【０００９】
以上の構成により、回転体から飛散する水によって発生する騒音を低減することができる。
【図面の簡単な説明】
【００１０】
【図１】本発明の実施の形態の加湿装置の斜視図
【図２】同加湿装置の断面図
【図３】同加湿装置の加湿部の斜視図
【図４】同加湿装置の加湿部の貯水容器の斜視図
【発明を実施するための形態】
【００１１】
以下、本発明の実施形態について図面を参照しながら説明する。
（実施の形態）
図１は、本発明の実施の形態の加湿装置の斜視図であり、加湿装置を前面側から見た図である。図２は、本発明の実施の形態の加湿装置の断面図であり、加湿装置を右側から見た図である。
【００１２】
図１および図２に示すように、本実施形態の加湿装置は、略縦長箱形状の本体ケース３と、この本体ケース３内に設けた加湿部４と、送風機５とを備えている。
【００１３】
本体ケース３は、前面側の上部に吹出口１を有し、背面側には吸気口２を備えている。吹出口１には、開閉自在に設けられた風向調整手段７を備えている。風向調整手段７は、上下方向に回動する２枚の風向板である。吸気口２には、着脱可能なグリル８を備えている。グリル８は、多数の開口を有している。本体ケース３内には、本体ケース３の吸気口２から、加湿部４、送風機５を順次介して、吸気口２へ連通する風路３Ａを備えている。
【００１４】
加湿部４は、吸気口２と送風機５との間の風路３Ａに位置し、水を風路３Ａに飛散させる。加湿部４は、貯水容器９と、タンク部１０と、回転体１１と、モータ部１２と、固定刃１３と、加湿フィルター１４とを備えている。なお、貯水容器９は、供給部である。
【００１５】
貯水容器９は、上方が開口した椀形状であり、本体ケース３の下部に設けられている。貯水容器９内には、貯水容器９に水を供給するタンク部１０が装着されている。
【００１６】
タンク部１０は、弁機構（図示せず）によって、貯水容器９に一定量の水を供給する。
【００１７】
回転体１１は、上方が開口した略コップ形状であり、底面に複数の孔（図示せず）を有し、側面に複数のスリット（図示せず）を有している。タンク部１０によって供給された貯水容器９内の水に下端が浸漬するように配置され、回転体１１の上方には、回転軸が上下方向に延びたモータ部１２が設けられている。なお、モータ部１２は吸気口２に対向している。
【００１８】
モータ部１２によって、回転体１１が回転すると、貯水容器９内の水が底面の複数の孔から吸い上げられ、側面の複数のスリットから微細な水となり飛散する。回転体１１の外周には、複数の固定刃１３を備えている。
【００１９】
固定刃１３は、略縦長平板形状であり、回転体１１の回転軸に対して放射状に設けられている。回転体１１によって飛散した微細な水の一部は、固定刃１３に衝突し、更に微細な水となり再び飛散する。
【００２０】
加湿フィルター１４は、送風機５の上流側に隣接するように配置されている。つまり、加湿フィルター１４は、加湿部４における最も風下側に配置されている。加湿フィルター１４は、風路３Ａに飛散した微細な水を保水し、加湿された空気を通すものである。加湿フィルター１４の一例は、多数の繊維で作られたメッシュ形状である。
【００２１】
送風機５は、加湿部４と吹出口１の間の風路３Ａに位置し、スクロール形状のケーシング部１５と、このケーシング部１５に固定されたモータ部１７と、このモータ部１７によって回転する羽根部１６とを備えている。ケーシング部１５は、上面には吐出口１５Ａ、側面には吸い込み口１８を備えている。モータ部１７によって羽根部１６が回転すると、本体ケース３外の空気が、本体ケース３の吸気口２から、加湿部４、ケーシング部１５の吸い込み口１８を介して送風機５内に送風され、ケーシング部１５の吐出口１５Ａから吹出口１へ送風される。
【００２２】
モータ部１２によって、回転体１１が回転すると、貯水容器９内の水が微細な水となり、風路３Ａ内に飛散する。この飛散した微細な水の一部は、固定刃１３に衝突し、更に微細な水となり再び飛散する。これらの微細な水は、送風機５によって、加湿フィルター１４へ送風され、加湿フィルター１４が湿った状態となる。送風機５によって加湿部４へ送風された空気は、風路内の微細な水と、加湿フィルター１４とによって加湿された空気となる。
【００２３】
図３は、本発明の実施の形態の加湿装置の加湿部の斜視図であり、加湿装置の右前方側から見た図である。図４は、本発明の実施の形態の加湿装置の加湿部の貯水容器の斜視図であり、加湿装置の右前方側から見た図である。
【００２４】
図２、図３および図４に示すように、貯水容器９は、上方が開口した椀形状であり、底面２０と、底面２０から上方へ延びた板形状の壁部２１とを有している。壁部２１は、水が溜まる椀形状の貯水容器９における側面の一部である。本実施形態における特徴は、回転体１１から飛散する水が壁部２１に直接当たることを抑制する複数の衝突抑制部材１９とを有し、各々の衝突抑制部材１９の面積は、壁部２１の面積より小さい点である。
【００２５】
これにより、回転体１１から飛散する水は、複数の衝突抑制部材１９に当たるので、回転体１１から飛散する水が貯水容器９の壁部２１に直接当たることを抑制することができる。詳しいことは分かっていないが、回転体１１から飛散する水が当たる面の面積が広いほど、その面は振動し易いので、衝突音が大きくなると考えられる。結果として、各々の衝突抑制部材１９の面積は、貯水容器９の壁部２１の面積より小さいので、回転体１１から飛散する水が、貯水容器９の壁部２１に当たるより、衝突抑制部材１９に当たる方が衝突音は小さくなると考えられる。
【００２６】
具体的には、衝突抑制部材１９は、壁部２１における内面から内方へ延びた平板形状の突起２２である。これにより、壁部２１の剛性が向上するので、回転体１１から飛散する水が壁部２１に当たる場合にも壁部２１での振動が抑制され、衝突音は小さくなると考えられる。
【００２７】
また、衝突抑制部材１９は、壁部２１と底面２０とを連結する。衝突抑制部材１９は、縦長四角形状であり、一方の長辺が壁部２１と固定され、一方の短辺が底面２０と固定されている。これにより、壁部２１の剛性が更に向上するので、回転体１１から飛散する水が貯水容器９内面に当たる場合にも、壁部２１での振動が更に抑制され、衝突音は更に小さくなると考えられる。
【００２８】
また、衝突抑制部材１９は、回転体１１から飛散する水が、衝突抑制部材１９に衝突した後に、貯水容器９内面方向へ飛ぶように配置されている。これにより、衝突抑制部材１９に衝突し、更に貯水容器９内面に衝突し、微細な水となり、加湿量が向上する。
【産業上の利用可能性】
【００２９】
家庭用や事務用などの加湿器等としての活用が期待されるものである。
【符号の説明】
【００３０】
１    吹出口
２    吸気口
３    本体ケース
３Ａ    風路
４    加湿部
５    送風機
７    風向調整手段
８    グリル
９    貯水容器
１０    タンク部
１１    回転体
１２    モータ部
１３    固定刃
１４    加湿フィルター
１５    ケーシング部
１６    羽根部
１７    モータ部
１８    吸い込み口
１９    衝突抑制部材
２０    底面
２１    壁部
２２    突起
【図１】
2018091569.tif 000003
【図２】
2018091569.tif 000004
【図３】
2018091569.tif 000005
【図４】
2018091569.tif 000006